(57)【特許請求の範囲】
【請求項１】
壁パネルの上端部と天井パネルとを接続する構造であって、
前記天井パネルには、前記壁パネル側に向かう中空形状に設けられた突出部が一体に設けられる一方、前記壁パネルには、位置規制部が設けられ、前記壁パネルの位置規制部の内側に天井パネルの突出部を受容させて相互に接続され、
前記位置規制部は、突出部に沿って位置する略鉛直面部を含んで構成されていると共に、前記壁パネルと天井パネルとの間には、壁パネルの内面と略同一面内に収まるパッキンが設けられ、このパッキンは前記突出部を前記略鉛直面部に押し付けて前記天井パネルの移動を規制可能に設けられていることを特徴とするパネルの接続構造。
【請求項２】
前記天井パネルは、中空形状に設けられていることを特徴とする請求項１記載のパネルの接続構造。
【発明の詳細な説明】
【０００１】
【発明の属する技術分野】
本発明は、パネルの接続構造に係り、更に詳しくは、天井パネルと壁パネルとを少ない部品点数で接続することができるパネルの接続構造に関する。
【０００２】
【従来の技術】
近時の住宅において、ユニット化された浴室或いは洗面室が普及するに至っており、このような浴室等に用いられる天井パネル及び壁パネルを接続する構造としては、例えば、特許３２６１３６５号公報に開示されたタイプの構造が知られている。
【０００３】
同公報の接続構造においては、天井パネルと壁パネルとを接続する場合、先ず、壁パネルの上端面及び天井パネルの下面外周側にねじを用いて連結具がそれぞれ取り付けられる。そして、各連結具を組み合わせるように壁パネルの上端側に天井パネルを設置した後、各連結具に形成された係合部を挟み込むように見切り縁を係合させることで天井パネル及び壁パネルが接続される構造となっている。
【０００４】
【特許文献１】
特許３２６１３６５号公報
【０００５】
【発明が解決しようとする課題】
しかしながら、このような構造にあっては、天井パネル及び壁パネルの両方に連結具を別途取り付けなければならない。すなわち、相互に組み合わせ可能な一対の連結具及びこれらを取り付けるためのねじが不可避的に要求され、これにより、部品点数及び組立工数が増大し、コスト高を招来するという不都合がある。しかも、従来構造では、天井パネルに対して連結具が別パーツとなるため、これらの間に隙間が生じ易くなり、連結具の周辺領域における断熱性を十分に担保することができないという不都合も招来する。
【０００６】
【発明の目的】
本発明は、このような不都合に着目して案出されたものであり、その目的は、部品点数の減少を通じた組立工数の削減並びにコスト低下を図ることができるパネルの接続構造を提供することにある。
【０００７】
本発明の他の目的は、天井パネルと壁パネルとの接続領域における断熱性を向上させることができるパネルの接続構造を提供することにある。
【０００８】
【課題を解決するための手段】
前記目的を達成するため、本発明は、壁パネルの上端部と天井パネルとを接続する構造であって、
前記天井パネルには、前記壁パネル側に向かう中空形状に設けられた突出部が一体に設けられる一方、前記壁パネルには、位置規制部が設けられ、前記壁パネルの位置規制部の内側に天井パネルの突出部を受容させて相互に接続され、
前記位置規制部は、突出部に沿って位置する略鉛直面部を含んで構成されていると共に、前記壁パネルと天井パネルとの間には、壁パネルの内面と略同一面内に収まるパッキンが設けられ、このパッキンは前記突出部を前記略鉛直面部に押し付けて前記天井パネルの移動を規制可能に設けられる、という構成を採っている。このような構成によれば、従来のように天井パネルに連結具等を別途設けなくても各パネルを接続することが可能となる。これにより、各パネルを接続する際に必要な部品点数及び組立工数の削減を図ることができ、施工に伴うコストを低く抑えることが可能となる。しかも、位置規制部の内側に突出部が受容されるため、天井パネルが壁パネルの外側にはみ出すことなく、これらの位置決めを容易に行うことが可能となる。また、突出部が天井パネルに一体化されているので、これらの間の気密性及び断熱性を確保することができ、壁パネルの外面における結露を効果的に防止することも可能となる。しかも、天井パネルと壁パネルとを接続するときに、位置規制部と突出部とをねじ止めや接着等の種々の手法により容易且つ強固に接続することができ、施工性を高めることが可能となる。また、各パネル間における気密性を高めることができる他、パッキンが壁パネルの内面から大きくはみ出さないため、天井パネルと壁パネルとの接続領域における汚れの堆積を回避することが可能となる。
【００１１】
【発明の実施の形態】
本発明において、前記天井パネルは、中空形状に設けられる、という構成を採ることができる。ブロー成形等によってこのような構成にすることにより、天井パネル全体の軽量化を図ることができ、また、突出部内に空気層を形成して天井パネルと壁パネルとの接続領域における断熱性を向上させることが可能となる。
【００１３】
【実施例】
以下、本発明がユニットバスルームに適用された実施例を図面を参照しながら説明する。
【００１４】
［第１実施例］
図１には、第１の実施例に係るユニットバスルームを一部断面視した拡大概略斜視図が示され、図２には、図１の要部拡大縦断面図が示されている。これらの図において、ユニットバスルーム１０は、図示しない躯体の壁面に沿って配置された複数枚の壁パネル１１と、この壁パネル１１の上端部１１Ａに載置された天井パネル１２とを備えて構成されている。
【００１５】
前記壁パネル１１の上端部１１Ａには、図２に示されるように、断面視略クランク型に形成された連結部材１３が間接的に設けられている。この連結部材１３は、各壁パネル１１の上端部１１Ａの長さと略同一となる長尺形状に設けられている。連結部材１３は、上端部１１Ａのパネル板厚方向中央部に位置する溝１５内に嵌め込まれた垂下面部１６と、この垂下面部１６の上端部に連なって壁パネル１１の外面側（図２中右側）に向かって延びるとともに、壁パネル１１の上端部１１Ａ上に位置する水平面部１７と、この水平面部１７の図２中右端側に連なって壁パネル１１の外面と略同一面内で起立するとともに、後述する突出部の外側に位置する位置規制部としての略鉛直面部１８とを備えて構成されている。水平面部１７の面内には、上方より皿ねじ２０を挿入可能とする取付穴２１が形成されている。
【００１６】
前記天井パネル１２は、特に限定されるものでないが、本実施例では、ブロー成形によって約２〜３ｍｍの肉厚を備えた中空をなすように形成された樹脂成形品により構成されている。天井パネル１２は、略ドーム型の外観形状（図１参照）を備えた湾曲部２２と、この湾曲部２２の外周側に連設されるとともに、壁パネル１１の上端部１１Ａの上方に位置する側部２３とを備えている。
【００１７】
前記側部２３には、壁パネル１１側すなわち図２中下方に向かう突出部２５が一体に設けられている。この突出部２５は、側部２３の下面外周側コーナー領域に段部２６を介して形成されており、当該段部２６の図２中左右幅は、前記略鉛直面部１８の肉厚と略同一となるように設けられている。突出部２５は、側部２３の延出方向（図２中紙面直交方向）に延びるリブ状に設けられているとともに、断面形状が略Ｕ字状若しくは上向きコ字状に形成された中空形状に設けられている。また、突出部２５は、略鉛直面部１８の上端に段部２６を乗せたときに、略鉛直面部１８の内側に受容されて水平面部１７の上面に乗る上下幅に設定されている一方、壁パネル１１の板厚の約半分となる厚さ（図２中左右幅）に設定されている。
【００１８】
前記側部２３と壁パネル１１の上端部１１Ａとの間には、壁パネル１１の内面と略同一面内に収まるパッキン２７が設けられている。パッキン２７は、上下両面側の断面形状がギザ状をなす成形品により構成されているとともに、上端部１１Ａに沿って取り付けられて壁パネル１１と天井パネル１２との接続領域を密閉するようになっている。また、パッキン２７は、図２に示される状態で、突出部２５を略鉛直面部１８に押し付けて天井パネル１２の移動を規制可能に設けられている。
【００１９】
以上の構成において、壁パネル１１に天井パネル１２を接続する場合、先ず、連結部材１３の垂下面部１６を溝１５に嵌め込んだ後、皿ねじ２０を取付穴２１に挿入して上端部１１Ａにねじ込み、当該上端部１１Ａに連結部材１３を取り付ける。次に、略鉛直面部１８の内側に突出部２５を受容させながら天井パネル１２を壁パネル１１の上端部１１Ａ上に載置する。これにより、略鉛直面部１８が突出部２５に沿って位置し、この状態で、側部２３と壁パネル１１の上端部１１Ａとの間にパッキン２７を挿入することにより、パッキン２７と略鉛直面部１８とにより突出部２５が挟み込まれて、壁パネル１１と天井パネル１２が相互に接続される。この際、天井パネル１２の側端面、略鉛直面部１８の外面及び壁パネル１１の外面は、略同一面内に位置するようになっている。
【００２０】
従って、このような第１の実施例によれば、突出部２５が天井パネル１２に一体成形されているので、当該天井パネル１２に連結具等を取り付ける必要性を一掃して部品点数及び組立工数を削減することができる他、ユニットバスルーム１０内の気密性を向上させることも可能となる。また、上端部１１Ａに溝１５を設けたので、壁パネル１１に対する連結部材１３の位置決めを容易且つ正確に行うことができる。
【００２１】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２２】
［第２実施例］
図３には、本発明の第２の実施例が示されている。この実施例は、略鉛直面部１８と突出部２５とをねじ３０を介して接続したところに特徴を有する。
【００２３】
すなわち、前記突出部２５には、図３中左右方向に開通する穴３１が設けられており、この穴３１内に前記ねじ３０を挿入して略鉛直面部１８にねじ込むことにより、略鉛直面部１８と突出部２５とが相互に接続される。また、突出部２５は、当該突出部２５の下面と水平面部１７の上面との間に隙間Ｓが生じる上下幅に設定され、水平面部１７の取付穴２１に挿入されたねじ３２のヘッド部３２Ａと干渉しないようになっている。
【００２４】
前記水平面部１７の図３中左端側には、当該水平面部１７の面位置に対して若干起立する立ち上がり部３４が連設されており、この立ち上がり部３４にパッキン２７の下面側を引っ掛け可能となっている。また、パッキン２７は、突出部２５との相対面に前記ねじ３０のヘッド部３０Ａとの干渉を回避するための凹み部３５を備えている。
【００２５】
従って、このような第２の実施例によれば、突出部２５を略鉛直部１８にねじ止めしたから、壁パネル１１と天井パネル１２との接続状態を一層強固に維持することが可能となる。
【００２８】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
例えば、前記第１及び第２の実施例における連結部材１３及び突出部２５は、略鉛直面部１８の肉厚を更に厚くするとともに、これに応じて段部２６の左右幅を大きくしてもよい。
【００２９】
【発明の効果】
以上説明したように、本発明は、天井パネルに突出部を一体に設ける一方、壁パネルに位置規制部を設け、位置規制部の内側に突出部を受容させることで各パネルが相互に接続されるから、天井パネルに連結具等を別途設けなくてもよいので、部品点数の減少によって現場施工等での組立工数も削減でき、ひいては、コスト低減を図ることが可能となる。また、突出部が天井パネルに一体化されているので、各パネルの接続領域における気密性及び断熱性を良好に保つことができる。
【００３０】
また、位置規制部が突出部に沿って位置する略鉛直面部を含んで構成されているから、ねじ止めや接着等の種々の手法によって位置規制部と突出部とを容易且つ強固に接続することができる。
【００３２】
また、天井パネルを中空形状に設けた場合には、突出部を含む天井パネルの軽量化並びに中空内に形成される空気層の作用により断熱性を高めることが可能となる。
【００３３】
更に、壁パネルと天井パネルとの間に、壁パネルの内面と略同一面内に収まるパッキンを設けた場合には、気密性を高めつつパッキン周辺領域の汚れの堆積を効果的に抑制することができる。
【図面の簡単な説明】
【図１】  第１の実施例に係るユニットバスルームを一部断面視した拡大概略斜視図。
【図２】  天井パネルと壁パネルの接続状態を示す要部拡大断面図。
【図３】  第２の実施例に係る天井パネルと壁パネルの接続状態を示す図２と同様の断面図。
【符号の説明】
１１・・・壁パネル、１１Ａ・・・上端部、１２・・・天井パネル、１８・・・略鉛直面部（位置規制部）、２５・・・突出部、２７・・・パッキン、３７・・・凹溝（位置規制部）
【図１】
0003723790.tif 000002
【図２】
0003723790.tif 000003
【図３】
0003723790.tif 000004